【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
表示装置であって、
複数の画素と、
ＦＳＣ（ｆｉｅｌｄ  ｓｅｑｕｅｎｔｉａｌ  ｃｏｌｏｒ）画像形成を用いて複数の寄与色に対応する複数の組のサブフレーム画像を表示することによって、画像フレームに対応する各色を前記表示装置の前記画素に生成させるように構成されたコントローラを備え、
画像フレームを表示する際に、
前記コントローラは、少なくとも１つの他の寄与色の連続するサブフレーム画像から成る少なくとも１つの別のグループを組み込んだ、各寄与色の連続するサブフレーム画像から成る複数の別々のグループを出力する出力シーケンスに従って、前記画像フレームを表示するように構成され、前記出力シーケンスは、第２の寄与色とは異なる数の、第１の寄与色に対する連続するサブフレーム画像から成る別々のグループを用いて、前記１組のサブフレーム画像を出力し、各寄与色の連続するサブフレーム画像からなる少なくとも１つのグループは複数のサブフレーム画像を含む、
表示装置。
【請求項２】
前記第１の寄与色は緑である、請求項１に記載の表示装置。
【請求項３】
前記寄与色は複数の成分色および少なくとも１つの合成色を含み、前記合成色は、実質的に前記複数の成分色のうち少なくとも２つからなる組合せである色に対応し、前記第１の寄与色と前記第２の寄与色は両方とも成分色である、請求項１に記載の表示装置。
【請求項４】
前記合成色は白または黄を含み、前記成分色は赤、緑および青のうち少なくとも２つを含む、請求項３に記載の表示装置。
【請求項５】
前記表示装置にそれぞれの色を生成させるように構成された少なくとも３つの光源をさらに備え、前記光源のうち２つは前記複数の成分色のうち２つに対応し、前記光源のうち１つは前記合成色に対応する、請求項３に記載の表示装置。
【請求項６】
前記表示装置は、第２の成分色に対応するサブフレーム画像の数と比較してより多くの数の、第１の成分色に対応するサブフレーム画像を表示する、請求項３に記載の表示装置。
【請求項７】
前記複数の画素は透明基板に形成させたＭＥＭＳ光変調器を備える、請求項１に記載の表示装置。
【請求項８】
前記寄与色のうち少なくとも第１の寄与色に対して、前記表示装置は、第１の組の画素状態を生成することによって第１の画素に対して前記第１の寄与色の所与の輝度を出力し、異なる第２の組の画素状態を生成することによって第２の画素に対して前記第１の寄与色の同一の輝度を出力するように構成される、請求項１に記載の表示装置。
【請求項９】
輝度レベルに対して複数の組の画素状態を備えた第１のルックアップ・テーブルと第２のルックアップ・テーブルとを格納するように構成されたメモリをさらに備え、前記コントローラは、前記第１のルックアップ・テーブルを用いて前記第１の組の画素状態を導出し、前記第２のルックアップ・テーブルを用いて前記第２の組の画素状態を導出するように構成された、請求項８に記載の表示装置。
【請求項１０】
前記コントローラは、所与の寄与色の２つの最大の重みを有するサブフレームが前記寄与色に対応する小さい重みを有するサブフレームの間に表示されるサブフレーム・シーケンスに従って、前記画像フレームを表示するようにさらに構成された、請求項１に記載の表示装置。
【請求項１１】
前記コントローラは、第１のサブフレーム・シーケンスと第２のサブフレーム・シーケンスに従って画像フレームを表示するようにさらに構成され、前記コントローラは、前記第１のサブフレーム・シーケンスと前記第２のサブフレーム・シーケンスに従って連続的な画像フレームを交互に表示するように構成された、請求項１に記載の表示装置。
【請求項１２】
ＦＳＣ（ｆｉｅｌｄ  ｓｅｑｕｅｎｔｉａｌ  ｃｏｌｏｒ）画像形成を用いて複数の寄与色に対応する複数の組のサブフレーム画像を表示することによって、画像フレームに対応するそれぞれの色を表示装置の複数の画素に生成させるように構成されたプロセッサを備え、
画像フレームを表示する際に、
前記プロセッサは、少なくとも１つの他の寄与色の連続するサブフレーム画像から成る少なくとも１つの別のグループを組み込んだ、各寄与色の連続するサブフレーム画像から成る複数の別々のグループを出力する出力シーケンスに従って、前記画像フレームを表示するように構成され、前記出力シーケンスは、第２の寄与色とは異なる数の、第１の寄与色に対する連続するサブフレーム画像から成る別々のグループを用いて、前記１組のサブフレーム画像を出力し、各寄与色の連続するサブフレーム画像からなる少なくとも１つのグループは複数のサブフレーム画像を含む、
コントローラ。
【請求項１３】
前記第１の寄与色は緑である、請求項１２に記載のコントローラ。
【請求項１４】
前記寄与色は複数の成分色および少なくとも１つの合成色を含み、前記合成色は、実質的に前記複数の成分色のうち少なくとも２つからなる組合せである色に対応し、前記第１の寄与色と前記第２の寄与色は両方とも成分色である、請求項１２に記載のコントローラ。
【請求項１５】
前記合成色は白または黄を含み、前記成分色は赤、緑および青のうち少なくとも２つを含む、請求項１４に記載のコントローラ。
【請求項１６】
前記表示装置にそれぞれの色を生成させるように構成された少なくとも３つの光源をさらに備え、前記光源のうち２つは前記複数の成分色のうち２つに対応し、前記光源のうち１つは前記合成色に対応する、請求項１４に記載のコントローラ。
【請求項１７】
第２の成分色に対応するサブフレーム画像の数と比較してより多くの数の、第１の成分色に対応するサブフレーム画像を表示する、請求項１４に記載のコントローラ。
【請求項１８】
前記複数の画素は、透明基板に形成されたＭＥＭＳ光変調器を備える、請求項１２に記載のコントローラ。
【請求項１９】
前記寄与色のうち少なくとも第１の寄与色に対して、前記プロセッサは、第１の組の画素状態を生成することによって第１の画素に対して前記第１の寄与色の所与の輝度を出力し、異なる第２の組の画素状態を生成することによって第２の画素に対して前記第１の寄与色の同一の輝度を出力するように構成される、請求項１２に記載のコントローラ。
【請求項２０】
前記第１の画素および前記第２の画素は前記表示装置の同一の場所に対応し、前記第１の画素は前記画像フレームに対応し、前記第２の画素は後続の画像フレームに対応する、請求項１９に記載のコントローラ。
【請求項２１】
輝度レベルに対して複数の組の画素状態を備えた第１のルックアップ・テーブルと第２のルックアップ・テーブルとを格納するように構成されたメモリをさらに備え、前記コントローラは、前記第１のルックアップ・テーブルを用いて前記第１の組の画素状態を導出し、前記第２のルックアップ・テーブルを用いて前記第２の組の画素状態を導出するように構成された、請求項１９に記載のコントローラ。
【請求項２２】
前記コントローラは、寄与色に対するサブフレームの大部分に関連するそれぞれの重みより大きい関連する重みを有するサブフレームが前記寄与色の他のサブフレームの半分が表示された後に表示されるサブフレーム・シーケンスに従って前記画像フレームを表示するようにさらに構成された、請求項１２に記載のコントローラ。
【請求項２３】
前記コントローラは、第１のサブフレーム・シーケンスと第２のサブフレーム・シーケンスに従って画像フレームを表示するようにさらに構成され、前記コントローラは、前記第１のサブフレーム・シーケンスと前記第２のサブフレーム・シーケンスに従って連続的な画像フレームを交互に表示するように構成された、請求項１２に記載のコントローラ。
【請求項２４】
画像フレームを表示装置に表示するための方法であって、
ＦＳＣ（ｆｉｅｌｄ  ｓｅｑｕｅｎｔｉａｌ  ｃｏｌｏｒ）画像形成プロセスに従って複数の寄与色に対応する複数の組のサブフレーム画像を用いて表示装置に画像フレームを表示させることによって、前記画像フレームに対応するそれぞれの色を前記表示装置の複数の画素に生成させるステップを含み、
画像フレームを表示する際に、
前記表示装置は、少なくとも１つの他の寄与色の連続するサブフレーム画像から成る少なくとも１つの別のグループを組み込んだ、各寄与色の連続するサブフレーム画像から成る複数の別々のグループを出力する出力シーケンスに従って、前記画像フレームを表示するように構成され、前記出力シーケンスは、第２の寄与色とは異なる数の、第１の寄与色に対する連続するサブフレーム画像から成る別々のグループを用いて、前記１組のサブフレーム画像を出力し、各寄与色の連続するサブフレーム画像からなる少なくとも１つのグループは複数のサブフレーム画像を含む、
方法。
【請求項２５】
前記寄与色は複数の成分色および少なくとも１つの合成色を含み、前記合成色は、実質的に前記複数の成分色のうち少なくとも２つからなる組合せである色に対応し、前記第１の寄与色と前記第２の寄与色は両方とも成分色である、請求項２４に記載の方法。
【請求項２６】
前記第１の寄与色は緑である、請求項２４に記載の方法。